(57)【要約】【課題】車両が各ＥＴＣゲートを通過する際に課金された課金額を積算して提示することができるＥＴＣ用車載ユニットを提供すること。【解決手段】車両に搭載され、当該車両がＥＴＣゲート２を通過する際に当該ＥＴＣゲート２側から送信される課金信号を受信する送受信部１１１を備えるＥＴＣ用車載ユニット１に、送受信部１１１が課金信号を受信した場合に、当該課金信号による課金額を記憶するメモリ１２１と、メモリ１２１に記憶される課金額を順次積算して積算課金額を算出する積算部１１９と、当該算出された積算課金額を提示する表示器１１４ｄと、を備えさせた。【選択図】      図１
2004265107.tif 000002
【特許請求の範囲】
【請求項１】
車両に搭載され、当該車両がＥＴＣゲートを通過する際に当該ＥＴＣゲート側から送信される課金信号を受信する受信手段を備えるＥＴＣ用車載ユニットにおいて、
前記受信手段が前記課金信号を受信した場合に、当該課金信号による課金額を記憶する課金額記憶手段を備え、
前記課金額記憶手段に記憶される課金額を順次積算して積算課金額を算出し、当該算出された積算課金額を提示することを特徴とするＥＴＣ用車載ユニット。
【請求項２】
車両に搭載され、当該車両がＥＴＣゲートを通過する際に当該ＥＴＣゲート側から送信される課金信号を受信する受信手段を備えるＥＴＣ用車載ユニットにおいて、
前記受信手段が前記課金信号を受信した場合に、当該課金信号による課金額を記憶する課金額記憶手段と、
前記課金額記憶手段に記憶される課金額を順次積算して積算課金額を算出する積算手段と、
前記積算手段にて算出される積算課金額を提示する提示手段と、を備えることを特徴とするＥＴＣ用車載ユニット。
【請求項３】
請求項２記載のＥＴＣ用車載ユニットにおいて、
前記積算手段のオン、オフを切り換える積算切換手段を備え、
前記積算手段は、前記積算切換手段によりオン状態とされている間に、前記受信手段が前記課金信号を受信した場合には、前記課金額記憶手段に記憶される課金額のうち、当該受信された課金信号による課金額を順次積算して積算課金額を算出することを特徴とするＥＴＣ用車載ユニット。
【請求項４】
請求項２または３に記載のＥＴＣ用車載ユニットにおいて、
前記積算手段にて算出され、前記提示手段にて提示される積算課金額を記憶する積算課金額記憶手段と、
前記積算課金額記憶手段に記憶される積算課金額をリセットするリセット手段と、を備えることを特徴とするＥＴＣ用車載ユニット。
【発明の詳細な説明】
【０００１】
【発明の属する技術分野】
本発明は、ＥＴＣ用車載ユニットに関する。
【０００２】
【従来の技術】
従来より、車両が所定のＥＴＣゲートを通過する際に、車両に搭載されるＥＴＣ用車載ユニットと当該ＥＴＣゲートとの間で無線信号の送受信を行うＥＴＣシステムが知られている（例えば特許文献１）。
【０００３】
当該技術では、車両がＥＴＣゲートを通過する際に、ＥＴＣゲートがトリガ信号を送信し、ＥＴＣ用車載ユニットは、当該トリガ信号を受信した際に、銀行口座等の個人データに関する個人データ信号と、車両の種別及び走行区間等の車両識別データに関する車両識別信号をＥＴＣゲートに送信する。
【０００４】
次いで、ＥＴＣゲートは、当該個人データ信号及び車両識別信号を受信して、当該受信された個人データ信号及び車両識別信号に基づいて課金額を決定する。そして、当該課金額に関する課金信号を生成してＥＴＣ用車載ユニットに送信する。
【０００５】
次いで、ＥＴＣ用車載ユニットは、ＥＴＣゲートから送信された課金信号を受信し、当該受信された課金信号による課金額を車両の乗員に提示する。
【０００６】
【特許文献１】
特開平２００２−４２１９２号公報
【０００７】
【発明が解決しようとする課題】
しかし、この技術では、車両が複数のＥＴＣゲートを通過する場合に、各ＥＴＣゲートを通過する際に課金された課金額を積算して乗員等に提示する機能は無かった。
【０００８】
このため、車両が複数のＥＴＣゲートを通過する場合、車両の乗員等にとっては、各ＥＴＣゲートを通過することで課金される課金額の合計を知ることが容易でないという問題点があった。
【０００９】
本発明はこのような従来の課題を解決するためになされたものであり、その主に目的とするところは、車両が各ＥＴＣゲートを通過する際に課金された課金額を積算して提示することができるＥＴＣ用車載ユニットを提供することである。
【００１０】
【課題を解決するための手段】
上記目的を達成するため、本願請求項１に記載の発明は、車両に搭載され、当該車両がＥＴＣゲートを通過する際に当該ＥＴＣゲート側から送信される課金信号を受信する受信手段を備えるＥＴＣ用車載ユニットにおいて、受信手段が課金信号を受信した場合に、当該課金信号による課金額を記憶する課金額記憶手段を備え、課金額記憶手段に記憶される課金額を順次積算して積算課金額を算出し、当該算出された積算課金額を提示することを特徴とする。
【００１１】
請求項２記載の発明は、車両に搭載され、当該車両がＥＴＣゲートを通過する際に当該ＥＴＣゲート側から送信される課金信号を受信する受信手段を備えるＥＴＣ用車載ユニットにおいて、受信手段が課金信号を受信した場合に、当該課金信号による課金額を記憶する課金額記憶手段と、課金額記憶手段に記憶される課金額を順次積算して積算課金額を算出する積算手段と、積算手段にて算出される積算課金額を提示する提示手段と、を備えることを特徴とする。
【００１２】
請求項３記載の発明は、請求項２記載のＥＴＣ用車載ユニットにおいて、積算手段のオン、オフを切り換える積算切換手段を備え、積算手段は、積算切換手段によりオン状態とされている間に、受信手段が課金信号を受信した場合には、課金額記憶手段に記憶される課金額のうち、当該受信された課金信号による課金額を順次積算して積算課金額を算出することを特徴とする。
【００１３】
請求項４記載の発明は、請求項２または３に記載のＥＴＣ用車載ユニットにおいて、積算手段にて算出され、提示手段にて提示される積算課金額を記憶する積算課金額記憶手段と、積算課金額記憶手段に記憶される積算課金額をリセットするリセット手段と、を備えることを特徴とする。
【００１４】
【発明の実施の形態】
以下、本発明の実施形態を図面に基づいて説明する。まず、図１及び図２に基づいて、本発明の一実施の形態に係るＥＴＣ用車載ユニット（以下、「車載ユニット」と称する）１及び当該車載ユニット１を適用したＥＴＣシステム１００の構成及び主な機能について説明する。なお、図１はＥＴＣシステム１００の構成を示したブロック図であり、図２は車載ユニット１が備える車載機１１の外観構成を示した正面図である。
【００１５】
ＥＴＣシステム１００は、図示しない自車両に搭載される車載ユニット１と、ＥＴＣゲート２とを含み、この車載ユニット１は車載機１１及びＩＣカード１２備える。
【００１６】
当該ＥＴＣシステム１００では、自車両がＥＴＣゲート２を通過する前に、当該ＥＴＣゲート２に係るサービスの利用状況がＩＣカード１２に予め記憶される（例えば、当該サービスが有料道路である場合には、有料道路の入口ゲートにて入口ゲート情報がＩＣカード１２に記憶される）。
【００１７】
そして、自車両がＥＴＣゲート２を通過する際に、車載機１１が当該利用状況及びＩＣカード１２の所有者の銀行口座等の個人データに関する個人データ信号と、車両の種別及び走行区間等の車両識別データに関する車両識別信号とをＩＣカード１２から取得して、ＥＴＣゲート２側に送信する。
【００１８】
そして、当該送信に応じて、ＥＴＣゲート２側から課金額及び課金時点に関する課金信号が送信され、車載機１１が当該課金信号を受信してその内容をＩＣカード１２に記憶するようになっている。なお、当該課金額は、ＥＴＣゲート２に係るサービスの利用状況等に応じて決定される。
【００１９】
ＥＴＣゲート２は、路側アンテナ２１を備え、自車両が当該ＥＴＣゲート２を通過する際に、課金額及び課金時点に関する課金信号を生成して車載ユニット１に送信する。
【００２０】
ＩＣカード１２は、図示しない制御処理部及びメモリ（課金額記憶手段）１２１を備え、個人データと、車両識別データと、車載機１１から与えられた課金信号の内容、即ち課金額及び課金時点を対応させた課金履歴と、を当該メモリ１２１に記憶する。
【００２１】
また、車載機１１のスロット１１ａ（図２参照）に差し込まれた場合には、車載機１１からの要求等に応じて、個人データに関する個人データ信号、車両識別データに関する車両識別信号、及び課金履歴に関する課金履歴信号を生成して車載機１１に出力する。
【００２２】
車載機１１は、送受信部（受信手段）１１１と、変復調部１１３と、ヒューマンマシンインタフェース部（以下、「ＨＭＩ部」と称する）１１４と、制御部１１５と、ＥＴＣ処理部１１６と、ＳＡＭ部１１７と、ＩＣカードインタフェース部（以下、「ＩＣカードＩ／Ｆ部」と称する）１１８と、積算部（積算手段）１１９と、メモリ（積算課金額記憶手段）１１９ａと、電源部１２０を備える。
【００２３】
送受信部１１１は、車載機側アンテナ１１２を備え、ＥＴＣゲート２から送信される信号を車載機側アンテナ１１２にて受信して変復調部１１３に出力する。また、変復調部１１３から与えられた信号を車載機側アンテナ１１２にてＥＴＣゲート２に送信する。
【００２４】
変復調部１１３は、送受信部１１１から与えられる信号を復調して制御部１１５に出力する。また、制御部１１５から与えられる信号を変調して送受信部１１１に出力する。
【００２５】
ＨＭＩ部１１４は、積算切換スイッチ（積算切換手段）１１４ａと、表示切換スイッチ１１４ｂと、リセットスイッチ（リセット手段）１１４ｃと、表示器（提示手段）１１４ｄと、ブザー１１４ｅを備える。
【００２６】
積算切換スイッチ１１４ａは、積算部１１９のオン、オフを切り換えるためのものであり、操作者によるオン操作により積算部オン信号を、操作者によるオフ操作により積算部オフ信号をそれぞれ生成して制御部１１５に出力する。
【００２７】
表示切換スイッチ１１４ｂは、表示器１１４ｄによる表示内容を切り換えるためのものであり、操作者によるオン操作（垂下操作）により表示切換信号を生成して制御部１１５に出力する。
【００２８】
リセットスイッチ１１４ｃは、積算課金額をリセットするためのものであり、操作者によるオン操作によりリセット信号を生成して制御部１１５に出力する。
【００２９】
表示器１１４ｄは、制御部１１５による制御により、所定の画像を画面表示し、ブザー１１４ｅは、制御部１１５による制御により、ブザー音を鳴らす。
【００３０】
制御部１１５は、積算切換スイッチ１１４ａから積算部オン信号を与えられた場合には、積算部１１９をオン状態にし、積算部オフ信号を与えられた場合には、積算部１１９をオフ状態にすべく制御する。
【００３１】
また、表示切換スイッチ１１４ｂから与えられた表示切換信号に基づいて、ＥＴＣ処理部１１６及びＩＣカードＩ／Ｆ部１１８を介してＩＣカード１２から課金履歴信号を取得し、当該取得された課金履歴信号の内容を表示器１１４ｄにて画面表示する。また、メモリ１１９ａから積算課金額信号を取得し、当該取得された積算課金額信号の内容を表示器１１４ｄにて画面表示する。
【００３２】
また、リセットスイッチ１１４ｃから与えられたリセット信号を積算部１１９に出力する。また、変復調部１１３から与えられた課金信号をＥＴＣ処理部１１６に出力する。
【００３３】
また、ＥＴＣ処理部１１６から与えられた個人データ信号及び車両識別信号を変復調部１１３に出力する。
【００３４】
ＥＴＣ処理部１１６は、制御部１１５から与えられた課金信号をＳＡＭ部１１７に出力し、ＳＡＭ部１１７から与えられた個人データ信号及び車両識別信号を制御部１１５に出力する。また、ＩＣカードＩ／Ｆ部１１８から与えられた課金履歴信号を制御部１１５に出力する。
【００３５】
ＳＡＭ部１１７は、ＩＣカードＩ／Ｆ部１１８から与えられた個人データ信号及び車両識別信号を暗号化してＥＴＣ処理部１１６に出力し、ＥＴＣ処理部１１６から与えられた課金信号を、当該課金信号の暗号を解読した後、ＩＣカードＩ／Ｆ部１１８に出力する。
【００３６】
ＩＣカードＩ／Ｆ部１１８は、ＳＡＭ部１１７から与えられた課金信号をＩＣカード１２に出力する。また、ＩＣカード１２から与えられた個人データ信号及び車両識別信号をＳＡＭ部１１７に出力する。また、ＩＣカード１２から与えられた課金履歴信号をＥＴＣ処理部１１６に出力する。
【００３７】
また、積算部１１９のオンオフ状態を検出し、積算部１１９がオン状態とされている間に送受信部１１１が課金信号を受信した場合には、当該課金信号をＳＡＭ部１１７から与えられた際に、当該課金信号を積算部１１９及びＩＣカード１２に出力する。
【００３８】
積算部１１９は、ＩＣカードＩ／Ｆ部１１８から課金信号を与えられた場合には、メモリ１１９ａから、積算課金額に関する積算課金額信号を取得し、当該積算課金額に当該課金信号による課金額を加算して、新たな積算課金額を算出する。そして、当該算出された積算課金額をメモリ１１９ａに記憶する。
【００３９】
また、制御部１１５からリセット信号を与えられた場合には、メモリ１１９ａに記憶される積算課金額をリセットする。
【００４０】
メモリ１１９ａは、積算部１１９により算出された積算課金額を記憶する。
【００４１】
電源部１２０は、自車両の電源から与えられる電力を車載機１１の各構成要素に供給する。
【００４２】
次に、車載ユニット１による積算処理の手順について図３に示すフローチャートに沿って説明する。
【００４３】
まず、車載機１１のスロット１１ａ（図２参照）にＩＣカード１２が差し込まれ、車載ユニット１がオンされると、図３に示すステップＳ１にて、制御部１１５は、リセットスイッチ１１４ｃからリセット信号を与えられたかどうかを判定する。この結果、リセット信号を与えられた場合には、ステップＳ７に進み、与えられない場合（ステップＳ１にてＮＯ）には、ステップＳ２に進む。
【００４４】
ステップＳ２にて、制御部１１５は、積算切換スイッチ１１４ａから積算部オン信号を与えられたかどうかを判定し、与えられた場合にはステップＳ３にて積算部１１９をオン状態にしてステップＳ４に進み、与えられない場合（ステップＳ２にてＮＯ）には積算部１１９をオフ状態にしてステップＳ４に進む。
【００４５】
ステップＳ４にて、送受信部１１１は、ＥＴＣゲート２から課金信号を受信した場合には、当該受信された課金信号を変復調部１１３に出力する。
【００４６】
次いで、変復調部１１３は、当該与えられた課金信号を復調して、制御部１１５に出力し、制御部１１５は、当該与えられた課金信号をＥＴＣ処理部１１６を介してＳＡＭ部１１７に出力する。
【００４７】
次いで、ＳＡＭ部１１７は、当該与えられた課金信号を、当該課金信号の暗号を解読した後、ＩＣカードＩ／Ｆ部１１８に出力して、ステップＳ５に進む。一方、送受信部１１１が課金信号を受信していない場合（ステップＳ４にてＮＯ）には、車載ユニット１は、本処理を終了する。
【００４８】
ステップＳ５にて、ＩＣカードＩ／Ｆ部１１８は、ＳＡＭ部１１７から課金信号を与えられた際に、積算部１１９のオンオフ状態を検出する。
【００４９】
この結果、積算部１１９がオン状態となっている場合には、ＳＡＭ部１１７から与えられた課金信号を積算部１１９及びＩＣカード１２に出力して、ステップＳ６に進む。一方、積算部１１９がオフ状態となっている場合（ステップＳ５にてＮＯ）には、ＳＡＭ部１１７から与えられた課金信号をＩＣカード１２に出力して、ステップＳ８に進む。
【００５０】
ステップＳ６にて、積算部１１９は、メモリ１１９ａから積算課金額に関する積算課金額信号を取得する。
【００５１】
次いで、当該積算課金額に、ＩＣカードＩ／Ｆ部１１８から与えられた課金信号による課金額を加算して、新たな積算課金額を算出し、当該算出された積算課金額をメモリ１１９ａに記憶する。
【００５２】
一方、ＩＣカード１２は、ＩＣカードＩ／Ｆ部１１８から与えられた課金信号の内容、即ち課金額及び課金時点をメモリ１２１に記憶する。その後、車載ユニット１は、本処理を終了する。
【００５３】
一方、上述したステップＳ１にて制御部１１５がリセット信号を与えられた場合には、ステップＳ７にて、制御部１１５は、リセット信号を積算部１１９に出力する。
【００５４】
次いで、積算部１１９は、制御部１１５から与えられたリセット信号に基づいて、メモリ１１９ａに記憶される積算課金額をリセットする。その後、車載ユニット１は、本処理を終了する。
【００５５】
一方、上述したステップＳ５にて、積算部１１９がオフ状態となっている場合には、ステップＳ８にて、ＩＣカード１２は、ＩＣカードＩ／Ｆ部１１８から与えられた課金信号の内容、即ち課金額及び課金時点をメモリ１２１に記憶する。その後、車載ユニット１は、本処理を終了する。
【００５６】
そして、車載ユニット１は、自車両が複数のＥＴＣゲート２を通過する場合には、自車両が各ＥＴＣゲート２を通過する毎に、上述したステップＳ１〜ステップＳ８の処理を繰り返すことで、メモリ１２１に記憶される課金額のうち、積算部１１９がオン状態となっている間に受信された課金信号による課金額を順次積算する。そして、当該積算により積算課金額を算出し、当該算出された積算課金額をメモリ１１９ａに記憶する。
【００５７】
次に、当該処理の一例を、図４に示すタイムチャートに沿って説明する。まず、操作者が、図２に示すスロット１１ａにＩＣカード１２を差し込んで、車載ユニット１をオンし、その後図３に示す時刻ｔ０にて、リセットスイッチ１１４ｃを操作すると、車載ユニット１は、図３に示すステップＳ１及びステップＳ７の処理により、メモリ１１９ａに記憶される積算課金額をリセットする。なお、この状態では、積算部１１９はオフ状態にあるものとする。
【００５８】
時刻ｔ１にて、送受信部１１１が、￥１００の課金額に係る課金信号を受信すると、車載ユニット１は、積算部１１９がオフ状態となっているので、ステップＳ１〜ステップＳ２、ステップＳ４〜ステップＳ５、及びステップＳ８の処理により、ＩＣカード１２のメモリ１２１に課金額（￥１００）及び課金時点を記憶する。
【００５９】
時刻ｔ２にて、操作者が積算切換スイッチ１１４ａをオン操作すると、車載ユニット１は、ステップＳ１〜ステップＳ３の処理により、積算部１１９をオン状態にする。
【００６０】
時刻ｔ３にて、送受信部１１１が、￥１００の課金額に係る課金信号を受信すると、車載ユニット１は、積算部１１９がオン状態となっているので、ステップＳ４〜ステップＳ６の処理により、積算部１１９にて積算課金額を￥１００（＝￥０＋￥１００）と算出し、当該算出された積算課金額をメモリ１１９ａに記憶する。さらに、ＩＣカード１２のメモリ１２１に課金額（￥１００）及び課金時点を記憶する。
【００６１】
時刻ｔ４にて、操作者が積算切換スイッチ１１４ａをオフ操作すると、車載ユニット１は、積算部１１９をオフ状態にする。
【００６２】
時刻ｔ５にて、送受信部１１１が、￥２００の課金額に係る課金信号を受信すると、車載ユニット１は、積算部１１９がオフ状態となっているので、ステップＳ１〜ステップＳ２、ステップＳ４〜ステップＳ５、及びステップＳ８の処理により、ＩＣカード１２のメモリ１２１に課金額（￥２００）及び課金時点を記憶する。
【００６３】
時刻ｔ６にて、操作者が積算切換スイッチ１１４ａをオン操作すると、車載ユニット１は、ステップＳ１〜ステップＳ３の処理により、積算部１１９をオン状態にする。
【００６４】
時刻ｔ７にて、送受信部１１１が、￥２００の課金額に係る課金信号を受信すると、車載ユニット１は、積算部１１９がオン状態となっているので、ステップＳ４〜ステップＳ６の処理により、積算部１１９にて積算課金額を￥３００（＝￥１００＋￥２００）と算出し、当該算出された積算課金額をメモリ１１９ａに記憶する。さらに、ＩＣカード１２のメモリ１２１に課金額（￥２００）及び課金時点を記憶する。
【００６５】
したがって、時刻ｔ８の時点では、メモリ１１９ａに記憶される積算課金額は￥３００となる。
【００６６】
次に、車載ユニット１による画面表示処理の手順について、図５に示すフローチャート及び図６に示す正面図に沿って説明する。なお、図６は、車載機１１の表示器１１４ｄに画面表示される画像等を示した正面図である。
【００６７】
まず、車載機１１のスロット１１ａ（図２参照）にＩＣカード１２が差し込まれ、車載ユニット１がオンされると、図５に示すステップＳ１１にて、制御部１１５は、積算切換スイッチ１１４ａから積算部オン信号を与えられたかどうかを判定する。この結果、与えられた場合には積算部１１９をオン状態にしてステップＳ１２に進み、与えられない場合（ステップＳ１１にてＮＯ）には積算部１１９をオフ状態にしてステップＳ１４に進む。
【００６８】
ステップＳ１２にて、制御部１１５は、表示切換スイッチ１１４ｂから表示切換信号を与えられたかどうかを判定する。この結果、与えられた場合にはステップＳ１３に進み、与えられない場合には本処理を終了する。
【００６９】
ステップＳ１３にて、制御部１１５は、メモリ１１９ａから積算課金額信号を取得し、図６（ａ）に示すように、当該取得された積算課金額信号の内容を表示器１１４ｄにて所定時間（本実施形態ではＴ秒間）画面表示する。
【００７０】
ステップＳ１４にて、制御部１１５は、表示切換スイッチ１１４ｂから表示切換信号を与えられたかどうかを判定する。この結果、与えられた場合にはステップＳ１５に進み、与えられない場合には本処理を終了する。
【００７１】
ステップＳ１５にて、制御部１１５は、ＩＣカード１２のメモリ１２１から課金時点に関する課金履歴信号を取得し、図６（ｂ）に示すように、当該取得された課金履歴信号の内容、即ち課金時点を表示器１１４ｄにて所定時間（本実施形態ではＴ秒間）画面表示する。
【００７２】
ステップＳ１６にて、制御部１１５は、表示切換スイッチ１１４ｂから表示切換信号を与えられたかどうかを判定する。この結果、与えられた場合にはステップＳ１７に進み、与えられない場合には本処理を終了する。
【００７３】
ステップＳ１７にて、制御部１１５は、ＩＣカード１２のメモリ１２１から課金額に関する課金履歴信号を取得し、図６（ｃ）に示すように、当該取得された課金履歴信号の内容、即ち課金額を表示器１１４ｄにて所定時間（本実施形態ではＴ秒間）画面表示する。その後、車載ユニット１は本処理を終了する。
【００７４】
以上により、本実施の形態では、車載ユニット１は、送受信部１１１にて課金信号を受信した場合（自車両がＥＴＣゲート２を通過した場合）に、当該課金信号による課金額をＩＣカード１２のメモリ１２１に記憶する。さらに、当該メモリ１２１に記憶される課金額を積算部１１９にて順次積算して積算課金額を算出し、メモリ１１９ａに記憶する。そして、当該算出された積算課金額を表示器１１４ｄにて画面表示する（図３に示すステップＳ１〜ステップＳ６、図５に示すステップＳ１１〜ステップＳ１３、及び図６（ａ）参照）。したがって、自車両の乗員等は、積算課金額を容易に確認することができる。
【００７５】
また、積算部１１９は、操作者が積算切換スイッチ１１４ａをオン操作した場合にオン状態となる。そして、オン状態とされている間に、送受信部１１１が課金信号を受信した場合には、メモリ１２１に記憶される課金額のうち、当該受信された課金信号による課金額を順次積算して積算課金額を算出する。
【００７６】
したがって、自車両の乗員等は、積算部１１９による積算の対象となる課金額を選択することができる。
【００７７】
また、表示器１１４ｄは、積算部１１９がオン状態となっている間に操作者が表示切換スイッチ１１４ｂを操作した場合に、当該メモリ１１９ａに記憶される積算課金額を画面表示する。したがって、乗員等はいつでも積算課金額を確認することができる。
【００７８】
また、積算部１１９は、操作者がリセットスイッチ１１４ｃをオン操作した場合には、メモリ１１９ａに記憶される積算課金額をリセットする。したがって、ので、自車両の乗員等は、積算部１１９にて算出され、表示器１１４ｄにて画面表示される積算課金額をリセットすることができる。
【００７９】
特に、本実施の形態では、ＥＴＣ用車載ユニット１は、積算課金額を車載機１１のメモリ１１９ａに記憶するので、例えば図３に示す処理の途中でＩＣカード１２が他のＩＣカード１２に交換された場合であっても、積算課金額が変更されることがない。したがって、このような場合であっても、正確な積算課金額を画面表示することができる。
【００８０】
なお、本実施の形態では、積算部１１９は、送受信部１１１が課金信号を受信した際に、当該課金信号による課金額（当該課金額は、メモリ１２１に記憶される）に、メモリ１１９ａに記憶される積算課金額を加算することで、メモリ１２１に記憶される課金額を順次積算することとしたが、以下のように積算するようにしても良い。
【００８１】
即ち、送受信部１１１が課金信号を受信した際に、当該課金信号による課金額を順次メモリ１２１に記憶し、所定のタイミング（例えば、操作者により表示切換スイッチ１１４ｂが操作された際）に、メモリ１２１に記憶された課金額を順次積算するようにしても良い。
【００８２】
この場合、積算の対象となる課金額を選択可能とするには、例えば、課金額をメモリ１２１に記憶する際に、当該課金額に積算対象フラグを付しておき、積算の際に当該フラグを付された課金額のみ積算するようにすれば良い。
【００８３】
【発明の効果】
以上により、本願特許請求の範囲に記載の発明は、受信手段が課金信号を受信した場合に、当該課金信号による課金額を課金額記憶手段にて記憶し、当該課金額記憶手段に記憶される課金額を順次積算して積算課金額を算出し、当該算出された積算課金額を提示するので、車両の乗員等は、積算課金額を容易に確認することができる。
【図面の簡単な説明】
【図１】ＥＴＣ用車載ユニットの構成を示すブロック図である。
【図２】車載機の外観構成を示すブロック図である。
【図３】ＥＴＣ用車載ユニットによる積算処理の手順を示すフローチャートである。
【図４】ＥＴＣ用車載ユニットによる積算処理の一例を示すタイムチャートである。
【図５】ＥＴＣ用車載ユニットによる画面表示処理の手順を示すフローチャートである。
【図６】表示器に画像が表示される様子を示す正面図である。
（ａ）  積算課金額が表示される様子を示す正面図である。
（ｂ）  課金時点が表示される様子を示す正面図である。
（ｃ）  課金額が表示される様子を示す正面図である。
【符号の説明】
１  ＥＴＣ用車載ユニット
２  ＥＴＣゲート
１１  車載機
１２  ＩＣカード
１１１  送受信部（受信手段）
１１４ａ  積算切換スイッチ（積算切換手段）
１１４ｂ  表示切換スイッチ
１１４ｃ  リセットスイッチ（リセット手段）
１１４ｄ  表示器（提示手段）
１１５  制御部
１１９  積算部（積算手段）
１１９ａ  メモリ（積算課金額記憶手段）
１２０  電源部
１２１  メモリ（課金額記憶手段）
【図１】
2004265107.tif 000003
【図２】
2004265107.tif 000004
【図３】
2004265107.tif 000005
【図４】
2004265107.tif 000006
【図５】
2004265107.tif 000007
【図６】
2004265107.tif 000008